【事件の表示】
　平成１０年特許願第２２１２０６号「無線端末の制御方法及び無線端末」拒絶査定に対する審判事件［平成１１年　６月　２日出願公開、特開平１１−１５０５９８］について、次のとおり審決する。
【結　論】
　本件審判の請求は、成り立たない。
【理　由】
　１．手続の経緯、本願発明
　本願は、平成４年９月３０日に出願した特願平４−２８３５１２号の一部を平成１０年８月５日に新たな特許出願（特願平１０−２２１２０６号）としたものであって、平成１４年７月３日付け手続補正によって最終的に補正された明細書および図面の記載からみて、その請求項１に係る発明（以下、「本願発明」という。）は、次のとおりのものである。
　
　【請求項１】
　「無線端末の制御方法であって、
　該無線端末に予め複数の発信者番号と前記発信者番号にそれぞれ対応する名前とを記憶しておき、
　受信した発信者番号が、前記予め記憶されている発信者番号であれば、前記発信者番号に対応して予め記憶されている名前を表示すると共に第１の着信音を鳴音し、
　前記受信した発信者番号が、前記予め記憶されている発信者番号でなければ、前記受信した発信者番号を表示すると共に第２の着信音を鳴音し、
　前記無線端末への着信時に使用者応答不能であれば、受信した発信者番号を着信順に記憶し、
　特定の指示が入力された場合に、前記使用者応答不能時に受信して記憶された発信者番号を読み出し、前記読み出された発信者番号が前記予め記憶されている発信者番号であれば、前記発信者番号に対応して予め記憶されている名前を表示し、前記読み出された発信者番号が前記予め記憶されている発信者番号でなければ、前記読み出された発信者番号を表示し、
　前記表示された名前又は発信者番号のいずれかが発呼目的で選択された場合に、前記選択された名前に対応する発信者番号又は前記選択された発信者番号を用いて発呼することを特徴とする無線端末の制御方法。」　
　
　２．引用例
　
　（１）原審拒絶の理由に引用された特開平４−１２３６４６号公報（以下、「引用例１」という。）には、下記ア．、イ．、ウ．が記載されている。
　ア．「デジタル交換機１００に発生した、本実施例の無線電話装置３００に対する着信呼が発生した場合には、デジタル交換機１００−デジタル交換機内線１０１−固定無線接続装置２００から無線電波により無線電話装置３００へ伝送される。従って、無線電話装置３００に対する着呼情報、即ち発信者情報（例えば、発信者の電話番号、又は、固有の名称に基くキャラクタ情報等）及び、着呼表示信号は、無線送受信部３０１を経由してべースバンド回路部３０２で受信識別され、受信結果は制御部３０３によって表示部３０５に対し表示制御を行うと共に、制御部３０３はデジタル交換機１００を起点とする着信呼信号が継続している間は制御部３０３の内部記憶を行う。当該着信呼の継続が停止、即ち、操作者の応答でなく発信者自らの発信途中放棄により、デジタル交換機１００から送出されていた着呼信号の停止（オフの継続）を制御部３０３がベースバンド回路部３０２を介して認識した場合、それ迄制御部３０３の内部記憶を行っていた”発信者情報”をメモリ部３０４へ転送すると共に、時系列的順位に従って書き込みを行う。」（３頁右上欄１２行〜左下欄１３行）、
　イ．「操作者は、着信が復旧している状態の無線電話装置３００の表示部３０５に発信者情報が表示されている場合、応答していない着信呼が存在するものとして、操作キー部３０６から予め定められたキー操作を行うことにより制御部３０３はメモリ部３０４に着信呼情報を読み出し、表示部３０５に対して発信者情報の表示を行う。
　この時、メモリ部３０４に記憶されている情報の表示を行うアルゴリズムとしては、操作音のキー操作により順次時系列的に読み出し表示を行う方式、−−−、あるいは、自動タイマ（例えば、１履歴データ当たり５秒間）により継続表示を行い、順次新情報に表示切り替えを行っていく方式等種々の方式がある。
　定められたアルゴリズムによる表示部３０５への発信者情報の表示により、操作者は不在中に発生した着信個の宛先情報等を確認し、確認において相手先への情報伝達が早急に必要であると判断した場合には、操作キー部３０６から予め定められたキー操作を行うことにより表示部３０５に表示中の発信者情報の相手先に対して発信する為の起動を行う。」（３頁右下欄２行〜４頁左上欄５行）、
　ウ．「操作者が不在等になっていた為に応答出来なかった着信呼に関する”発信者情報”を複数個記億し、着信状態が復旧した後に応答出来なかった着信呼に対する履歴データを容易に知ることが可能となり、不在中に発信した発信者との間で操作者の判断に基いて表示部へ表示している操作者が不在中の着信呼宛先に対して予め定められたキー操作により自動ダイヤル送出を行うので、表示部に表示された発信者情報に基づく相手先との通話接続により従来より円滑な情報伝達を推進できるという効果がある。」（４頁右下欄１９行〜左下欄９行）。
　
　前記記載事項及び図面の記載並びに技術常識を勘案すると、
　前記引用例１には、
　「無線電話装置３００の制御方法であって、
　デジタル交換機１００からの発信者電話番号及び着呼表示信号の受信結果を表示部３０５に表示し、
　前記無線電話装置への着信時に使用者応答不能であれば、受信した発信者の電話番号をメモリ部３０４に着信順に記憶し、
　操作キー部３０６から予め定められたキー操作により、前記使用者応答不能時に受信して記憶された発信者電話番号を読み出し、前記読み出された発信者電話番号を表示し、
　操作キー部３０６から予め定められたキー操作により、前記表示された発信者電話番号が選択された場合に、前記選択された発信者電話番号を用いて発呼する無線電話装置の制御方法。」を構成とする発明（以下、「引用例１に記載された発明」という。）が記載されている。
　
　（２）原審拒絶の理由に引用された特開平２−１６２９４９号公報（以下、「引用例２」という。）には、下記エ．、オ．が記載されている。　
　エ．「端末装置１には回線インターフェース４、制御部５、操作部６及び表示部７が設けられており、操作部６はキーボード６ａ、ハンドセット６ｂ、フックスイッチ６ｃ等から構成され、メモリ８及び後述する制御部５の本発明によって付加される動作フロー以外によるものは従来の構成と同様である。メモリ８には、第３図に示すように予め着信が予想される相手（発信端末）の番号３１と、該番号３１に対応させて氏名等の名称３２を記憶しておく。」（３頁右上欄１０〜１９行）、
　オ．「次に本発明を第１図及び第２図によって詳細に説明する。上述の呼設定メッセージにおいて、ＳＥＴＵＰメッセージに含まれる発番号（又は発番号＋サブアドレス番号）が回線インターフェース４を介して制御部５に加えられると、制御部５はこれに応動し、メモリ８の内容を読み出し、記憶されている番号３１との“一致”を確認する。一致する番号が存在すれば、制御部５はその番号３１と対応させて記憶されている名称３２を読み込んで表示部７に表示させる。
一致する番号が存在しなければ、制御部５は発番号を表示手段７に表示する。
　これによって、着信側の端末装置１においては、予め着信が予想される相手からの着信の際は、相手の個人名や会社名で着信が表示されるので、的確な対応ができる。
　第５図は本発明を利用した他の発明で、第１図の構成に加えて、時計回路９、自動応対装置１０自動ダイヤル回路１１を設ける。時計回路９は、制御回路５に時計情報を送出するように構成されている。自動応対装置１０には、予め応答メッセージ（不在中である旨のメッセージ）が録音されており、制御部５からの着信信号によって応動し、制御部５に対してオフフック信号を送出するとともに上記応答メッセージを再生するように構成されている。制御部５が着信信号を自動応対装置１０に与えるか否かの制御は、モード切替スイッチ１２によって制御部５に予めその設定信号（例えば留守番モード）を送出しておくことによって選択される。
　制御部５はモード切替スイッチ１２によって留守番モードに設定されている場合は、前述した表示部７に対する名称又は発番号の表示制御（第２図参照）において、時計回路９からの時刻情報を対応させて同時に表示するように成される。従って、留守番モード中に複数の着信があると、表示部７には着信順に複数の名称（又は発番号）が着信時の時刻とともに表示される。また、制御部５はメモリ８において前述した予め記憶されている番号３１及び名称３２の領域外の記憶領域に前記着信の毎に発番号を記憶する。
　そして、制御部５は、メモリ８に着信時の発番号が記憶されているときは、発信に際し操作部６のキーボード１３ａから例えば着信順位等の番号情報を入力することにより前記記憶した発番号を読み出し、これを自動ダイヤル回路１１に与えてそのダイヤル信号出力を回線インターフェース４へ出力するように制御する。
　なお、モード切替スイッチは留守番モードの他に不在モードの設定位置を備えており、不在モードに設定されると、制御部５は着信時に着信信号を自動応対装置に送出しないが、他の動作は留守番モードと同様である。すなわち、自動応対装置１０を設けることなく着信順の表示や自動ダイヤル発信を行うことができる。
「発明の効果」
　以上説明したように本発明によれば、着信に際し、予め着信が予想される相手からの着信の場合は個人名又は企業名で表示され、的確な対応が行なえる。
　他の発明によれば、着信時の時刻が同時に表示されるとともに着信のあった当該相手端末装置に対するダイヤル発信動作が自動的に行なえる。」（３頁左下欄１５行〜４頁右上欄１７行）。
　そして、前記オ．の記載において、発信の際、表示部に表示されている名称又は発番号をみて、キーボードから着信順位等で指定することにより、表示部に表示されている名称又は発番号のいずれかが発呼目的で選択された場合、前記選択された名称に対応する発番号又は前記選択された発番号を用いて発呼している、ことは、自明のことである。
　
　前記記載事項及び、図面の記載並びに当該分野の技術常識を勘案すると、
　引用例２には、
　「ＩＳＤＮ端末装置の制御方法であって、ＩＳＤＮ端末装置に予め複数の発番号と前記発番号にそれぞれ対応する名称とを記憶しておき、
　受信した発番号が、前記予め記憶されている発番号であれば、前記発番号に対応して予め記憶されている名称を表示し、
　前記受信した発番号が、前記に予め記憶されている発番号でなければ、前記受信した発番号を表示して、着信時の着信表示を行うと共に、
　不在モード設定時、或いは、留守番モード設定時に、
　受信した発番号を着信毎に記憶し、
　受信した発番号が、前記予め記憶されている発番号であれば、前記発番号に対応して予め記憶されている名称を表示し、該前記受信した発番号が前記予め記憶されている発番号でなければ、前記受信した発番号を表示し、
　表示されている名称又は発番号をみて、キーボードから着信順位等で指定することにより、表示部に表示されている名称又は発番号のいずれかが選択された場合、前記選択された名称に対応する発番号又は前記選択された発番号を用いて発呼するＩＳＤＮ端末装置の制御方法。」（以下、「引用例２に記載された発明」という。）を構成とする発明が記載されている。
　
　（３）原審拒絶の理由に引用された、特開昭６２−２４３４５２号公報（以下、「引用例３」という。）には、下記カ．、キ．、ク．、ケ．が記載されている。
　カ．「ところで、電話回線のデイジタル化等によって発信者の電話番号情報（以下、ＩＤ情報という。）を着信側に送付するサービスが実用化段階に来ており、」（１頁右下欄１５〜１８行）、
　キ．「（発明の目的）
　本発明は以上の背景に鑑み、応答しなければならない発信者名を着信側で直ちに判断できるような着信表示方式を得ることを目的とする。
（発明の概要）
　上記目的のため、本発明は、電話機、ボタン電話装置等、電話回線（前記ＩＤ情報が送られてくる電話回線）に接続される端末装置に、応答に関して重要な電話番号とその加入者名との対応を登録したメモリを設け、着信時に送られてくるＩＤ情報を上記メモリに登録された電話番号と照合し、一致した電話番号があれば、その加入者名を上記端末装置の表示器に表示するようにしたものである。更には、メモリへの電話番号の登録を重要度に応じてランク分けして行ない、加入者名の表示とともに上記ランク別の着信表示を行なうようにして、いたずら電話等の排除のみならず、応答必要性の緊急度等をより的確に判断できるようにしたものである。」（２頁左上欄１１行〜右上欄９行）、
　ク．「またメモリ６への登録は一般に商取引先、勤務先、親類、知人等、頻繁に電話連絡する相手に限定され、その数は通常１００件以下である。」（２頁右下欄８〜１０行）、
　ケ．「（実施例の作用）
　着信があって電話回線Ｌに呼出信号とＩＤ情報が送られてくるとフックスイッチ９の常閉接点側を介して当該呼出信号とＩＤ情報が着信検出回路４に入力され、検出される。ＣＰＵ５は上記着信検出回路４から着信を読み込むと、電話回線Ｌから受信したＩＤ情報とメモリ６に登録された電話番号とを照合し、当該ＩＤ情報がメモリ６の登録電話番号の１つに一致すればＣＰＵ５は当該登録電話番号と対応する加入者名をメモリ６から読み出してディスプレイ表示器８に表示する。このときＩＤ情報、すなわち上記加入者の電話番号（発信者番号）をも併せて表示してもよい。また、このとき着信音表示器７を鳴動させて着信を可聴的にも表示する。
　また、電話回線Ｌから受信したＩＤ情報がメモリ６の登録電話番号に含まれない場合には、ＣＰＵ５はディスプレイ表示器８にＩＤ情報、すなわち発信者番号のみを表示する。この非登録加入者からの着信時には、着信音表示器７による可聴表示形態は例えば着信者の音量を変える（一般には登録加入者からの着信時の音量より小さくする。）とか、鳴動の断続周期又は音色を変えるとかして登録加入者からの着信時とは異なった形態とすると都合がよい。」（３頁右上欄７行〜左下欄１１行）。
　そして、前記ケ．の記載において、「当該ＩＤ情報がメモリ６の登録電話番号の１つに一致」したときの「着信音」が「第１の着信音」といえ、「電話回線Ｌから受信したＩＤ情報がメモリ６の登録電話番号に含まれない場合」の「可聴表示形態は例えば着信者の音量を変える（一般には登録加入者からの着信時の音量より小さくする。）とか、鳴動の断続周期又は音色を変えるとか」した「着信音」が「第２の着信音」といえることは、当業者に自明の事項である。
　また、前記ケ．の記載において、「登録電話番号」が、着信してくると予想される発信者の電話番号であること、は自明乃至当該分野の技術常識（例えば、原審で引用した特開平２−２６８５４０号公報、特に、３頁左上欄３〜５行、特開平２−１６２９４９号公報、特に、３頁右上欄１６〜１９行、参照）である。
　
　前記記載事項、図面の記載並びに当該分野の技術常識を勘案すると、
　引用例３には、
　「端末装置の着信表示方法であって、
　該端末装置に予め発信者の電話番号と前記電話番号にそれぞれ対応する加入者名とを記憶しておき、
　受信した発信者の電話番号が、前記予め記憶されている発信者の電話番号であれば、前記電話番号に対応して予め記憶されている加入者名を表示すると共に第１の着信音を鳴音し、
　前記受信した発信者の電話番号が、前記予め記憶されている発信者の電話番号でなければ、前記受信した発信者の電話番号を表示すると共に第２の着信音を鳴音する端末装置の着信表示方法。」を構成とする発明（以下、「引用例３に記載された発明」という。）が記載されている。
　
　３．対比・判断
　本願発明と引用例１に記載された発明とを対比すると、
　（ａ）引用例１に記載された発明の「無線電話装置３００」は、無線端末の一種であるから、「無線端末」である。
　（ｂ）引用例１に記載された発明の「発信者電話番号」は、本願発明の「発信者番号」に相当する。
　（ｃ）本願発明の「該無線端末に予め複数の発信者番号と前記発信者番号にそれぞれ対応する名前とを記憶しておき、
　受信した発信者番号が、前記予め記憶されている発信者番号であれば、前記発信者番号に対応して予め記憶されている名前を表示すると共に第１の着信音を鳴音し、
　前記受信した発信者番号が、前記予め記憶されている発信者番号でなければ、前記受信した発信者番号を表示すると共に第２の着信音を鳴音し」と、引用例１に記載された発明の「デジタル交換機１００からの発信者電話番号及び着呼表示信号の受信結果を表示部３０５に表示し」は、「着信時に着信を表示し」において一致する。
　（ｄ１）引用例１に記載された発明の「操作キー部３０６から予め定められたキー操作により、前記使用者応答不能時に受信して記憶された発信者電話番号を読み出し」は、引用例１に記載された発明の「操作キー部３０６から予め定められたキー操作により」が、「特定の指示が入力された場合」であるので、本願発明の 「特定の指示が入力された場合に、前記使用者応答不能時に受信して記憶された発信者番号を読み出し」である。
　（ｄ２）本願発明の、「名前」又は「発信者番号」と、引用例１に記載された発明の「発信者電話番号」とは、「発信者番号に対応する情報」であるから、本願発明の「前記読み出された発信者番号が前記予め記憶されている発信者番号であれば、前記発信者番号に対応して予め記憶されている名前を表示し、前記読み出された発信者番号が前記予め記憶されている発信者番号でなければ、前記読み出された発信者番号を表示し」と、引用例１に記載された発明の「前記読み出された発信者電話番号を表示し」とは、「前記読み出された発信者番号に対応する情報を表示し」で一致する。
　（ｄ３）本願発明の「前記表示された名前又は発信者番号のいずれかが発呼目的で選択された場合に、前記選択された名前に対応する発信者番号又は前記選択された発信者番号を用いて発呼する」と、引用例１に記載された発明の「操作キー部３０６から予め定められたキー操作により、前記表示された発信者電話番号が選択された場合に、前記選択された発信者電話番号を用いて用いて発呼する」とは、「前記表示された発信者番号に対応する情報が発呼目的で選択された場合に、前記選択された発信者番号に対応する情報、に対応する発信者番号を用いて発呼する」で一致する。
　
　そうしてみると、本願発明と引用例１に記載された発明とは、　
　「無線端末の制御方法であって、
　着信時に着信を表示し、
　前記無線端末への着信時に使用者応答不能であれば、受信した発信者番号を着信順に記憶し、
　特定の指示が入力された場合に、前記使用者応答不能時に受信して記憶された発信者番号を読み出し、
　前記読み出された発信者番号に対応する情報を表示し、
　前記表示された発信者番号に対応する情報が発呼目的で選択された場合に、前記選択された発信者番号に対応する情報、に対応する発信者番号を用いて発呼する無線端末の制御方法。」である点において、一致し、
　
　（１）着信時における着信表示について、本願の発明が「該無線端末に予め複数の発信者番号と前記発信者番号にそれぞれ対応する名前とを記憶しておき、
　受信した発信者番号が、前記予め記憶されている発信者番号であれば、前記発信者番号に対応して予め記憶されている名前を表示すると共に第１の着信音を鳴音し、
　前記受信した発信者番号が、前記予め記憶されている発信者番号でなければ、前記受信した発信者番号を表示すると共に第２の着信音を鳴音し」である、のに対し、引用例１に記載された発明では、「デジタル交換機１００からの発信者電話番号及び着呼表示信号の受信結果を表示部３０５に表示し」である点、
　
　（２）「前記読み出された発信者番号に対応する情報を表示」について、本願発明が、「前記読み出された発信者番号が前記予め記憶されている発信者番号であれば、前記発信者番号に対応して予め記憶されている名前を表示し、前記読み出された発信者番号が前記予め記憶されている発信者番号でなければ、前記読み出された発信者番号を表示」するのに対し、引用例１に記載された発明が「前記読み出された発信者電話番号を表示」する点、
　
　（３）「前記表示された発信者番号に対応する情報が発呼目的で選択された場合に、前記選択された発信者番号に対応する情報、に対応する発信者番号を用いて発呼」について、本願発明が「前記表示された名前又は発信者番号のいずれかが発呼目的で選択された場合に、前記選択された名前に対応する発信者番号又は前記選択された発信者番号を用いて発呼」するのに対し、引用例１に記載された発明が「操作キー部３０６から予め定められたキー操作により、前記表示された発信者電話番号が選択された場合に、前記選択された発信者電話番号を用いて発呼」する点、
で相違する。
　
　そこで、前記相違点（１）〜（３）について、以下検討する。
　　　　　　　　　　　　　　　　　　　
　相違点（１）について、
  引用例２に記載された発明の「ＩＳＤＮ端末装置」は、「端末」であり、引用例２に記載された発明の「発番号」、「名称」は、各々、本願発明の「発信者番号」、「名前」に相当し、
　引用例２に記載された発明には、「端末の制御方法であって、端末に予め複数の発信者番号と前記発信者番号にそれぞれ対応する名前とを記憶しておき、
　受信した発信者番号が、前記予め記憶されている発信者番号であれば、前記発信者番号に対応して予め記憶されている名前を表示し、
　前記受信した発信者番号が、前記に予め記憶されている発信者番号でなければ、前記受信した発信者番号を表示して、着信時の着信表示を行う」（以下、「着信時の着信表示技術」という。）ことが記載されているから、引用例１に記載された発明において、着信時における着信表示について、引用例２に記載された発明の「着信時の着信表示技術」を適用し、
　その際、
　引用例３に記載された発明の「発信者の電話番号」、「加入者名」が、各々、本願発明の「発信者番号」、「名前」に相当し、引用例３に記載された発明には、「受信した発信者番号が、前記予め記憶されている発信者番号であれば、前記発信者番号に対応して予め記憶されている名前を表示すると共に第１の着信音を鳴音し、
　前記受信した発信者番号が、前記予め記憶されている発信者番号でなければ、前記受信した発信者番号を表示すると共に第２の着信音を鳴音する」ことが記載されている、ことを考慮し、引用例１に記載された発明において、着信時における着信表示について、前記相違点（１）に係る本願発明の構成を成すことは当業者が容易に成し得る程度のことである。
  
　相違点（２）、（３）について、
　引用例１に記載された発明において、着信時における着信表示について、引用例２に記載された発明の「着信時の着信表示技術」を適用する際において、
　引用例２に記載された発明の「発番号」、「名称」は、各々、本願発明の「発信者番号」、「名前」に相当し、引用例２に記載された発明の、「不在モード設定時、或いは、留守番モード設定時」に、「受信した発番号」は、不在モード設定時、或いは、留守番モード設定時に受信した発信者番号で、使用者が応答しなかった着信の発信者番号であるので、「使用者不応答呼の発信者番号」であり、また、引用例２に記載された発明の「表示されている名称又は発番号をみて、キーボードから着信順位等で指定することにより、表示部に表示されている名称又は発番号のいずれかが選択された場合」は、本願発明の、「前記表示された名前又は発信者番号のいずれかが発呼目的で選択された場合」であり、
　引用例２に記載された発明には、
　「着信時の着信表示技術」と共に、　
　（ａ）使用者不応答呼の発信者番号に対応する情報の表示について、
　「使用者不応答呼の発信者番号が、前記予め記憶されている発信者番号であれば、前記発信者番号に対応して予め記憶されている名前を表示し、前記使用者不応答呼の発信者番号が前記予め記憶されている発信者番号でなければ、前記使用者不応答呼の発信者番号を表示し」、
　（ｂ）表示された発信者番号に対応する情報が発呼選択で選択された場合の、発呼動作について、
　「前記表示された名前又は発信者番号のいずれかが発呼目的で選択された場合に、前記選択された名前に対応する発信者番号又は前記選択された発信者番号を用いて発呼する」という技術が示されているので、　
　引用例１に記載された発明において、「前記読み出された発信者番号に対応する情報を表示」について、該「前記読み出された発信者番号」が、引用例１に記載された発明の「使用者応答不能時に受信して記憶された発信者電話番号（発信者番号）」であり、「使用者不応答呼の発信者番号」であることを考慮して、引用例２に記載された発明における、前記（ａ）を適用し、「前記読み出された発信者番号が前記予め記憶されている発信者番号であれば、前記発信者番号に対応して予め記憶されている名前を表示し、前記読み出された発信者番号が前記予め記憶されている発信者番号でなければ、前記読み出された発信者番号を表示」（相違点（２））とすること、
　また、引用例１に記載された発明において、「前記表示された発信者番号に対応する情報が発呼目的で選択された場合に、前記選択された発信者番号に対応する情報、に対応する発信者番号を用いて発呼」について、引用例２に記載された発明における前記（ｂ）を適用し、「前記表示された名前又は発信者番号のいずれかが発呼目的で選択された場合に、前記選択された名前に対応する発信者番号又は前記選択された発信者番号を用いて発呼する」（相違点（３））とすること、は当業者が容易に成し得たことである。　
　
　４．むすび
　以上のとおりであるから、本願発明は、前記引用例１〜３に記載された発明に基いて当業者が容易に発明をすることができたものであるから、特許法第２９条第２項の規定により、特許を受けることができないものである。
　よって、結論のとおり審決する。